【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
遷移金属酸化物と金属塩とを混合して、遷移金属酸化物／金属塩混合物を形成する工程、
遷移金属酸化物／金属塩混合物を水素と反応させて、中間体を形成する工程、及び
中間体を１種以上の炭化水素の存在下で硫黄及び／又は硫黄の１種以上の化合物と反応させて、遷移金属硫化物触媒を製造する工程、
を含む遷移金属硫化物触媒の製造方法。
【請求項２】
遷移金属酸化物と金属塩との混合工程が、
脱イオン水の存在下で遷移金属酸化物と金属塩とを混合して、湿潤ペーストを形成する工程、
湿潤ペーストを１５０〜２５０℃の範囲の温度で乾燥する工程、及び
乾燥したペーストを３００〜６００℃の範囲の温度で焼成する工程、
を含む請求項１に記載の方法。
【請求項３】
中間体と硫黄との反応工程が、中間体を炭化水素の少なくとも１種の存在下で２４０〜３５０℃の範囲の温度に加熱する工程を含む請求項１又は２に記載の方法。
【請求項４】
炭化水素の１種以上は、沸点が１００℃以上であり、及び／又は真空ガス油、キシレン又はそれらの混合物である請求項１〜３のいずれか１項に記載の方法。
【請求項５】
中間体を硫黄と反応させながら、中間体を１種以上の液体炭化水素に分散する工程を更に含む請求項１〜４のいずれか１項に記載の方法。
【請求項６】
遷移金属酸化物の遷移金属が、周期表第６〜１０欄のものである請求項１〜５のいずれか１項に記載の方法。
【請求項７】
遷移金属が鉄である請求項６に記載の方法。
【請求項８】
金属塩が、１種以上のアルカリ金属、１種以上のアルカリ金属の１種以上の化合物、１種以上のアルカリ土類金属、１種以上のアルカリ土類金属の１種以上の化合物、亜鉛、亜鉛の１種以上の化合物、又はそれらの混合物を含む請求項１〜７のいずれか１項に記載の方法。
【請求項９】
硫黄量が、金属塩中の金属のモルに対し、１〜１００モル％、２〜８０モル％、５〜５０モル％、又は１０〜３０モル％の範囲である請求項１〜８のいずれか１項に記載の方法。
【請求項１０】
少なくとも２種の金属を含有する少なくとも１種の遷移金属硫化物を含む遷移金属硫化物触媒であって、１種以上の遷移金属硫化物を触媒１ｇ当たり合計で０．４ｇ以上、０．５ｇ以上、０．８ｇ以上、又は０．９９ｇ以上含有する、請求項１〜９のいずれか１項に記載の方法で得られる遷移金属硫化物触媒。
【請求項１１】
遷移金属硫化物触媒中の遷移金属対硫黄の原子比が、０．５〜１０である請求項１０に記載の方法。
【請求項１２】
残留物含有量（ＡＳＴＭ法Ｄ５３０７で測定）が原油原料１ｇ当たり０．２ｇ以上である原油原料を、請求項１０又は１１に記載の触媒を含む１種以上の触媒の存在下で水素供給源と接触させて、２５℃、０．１０１ＭＰａにおいて液体混合物である原油生成物を含む全生成物を製造する工程、及び
原油生成物の残留物含有量が原油原料の残留物含有量に対し３０％以下で、かつ原油生成物のコークス含有量が原油生成物１ｇ当たり０．０５ｇとなるように、温度、圧力、原油原料流、全生成物流、滞留時間、水素供給源の流れ、又はそれらの組合わせからなる接触条件を制御する工程、
を含む原油生成物の製造方法。
【請求項１３】
接触中、２５℃、０．１０１ＭＰａにおいて凝縮性のない炭化水素を原油原料１ｇ当たり０．２ｇ以下、０．１５ｇ以下又は０．１ｇ以下（物質収支で測定）形成するように、接触条件も制御される請求項１２に記載の方法。
【請求項１４】
原油原料の残留物含有量が原油原料１ｇ当たり０．２〜０．９９ｇ又は０．３〜０．８ｇである請求項１２又は１３に記載の方法。
【請求項１５】
全生成物の少なくとも一部が蒸気として製造されると共に、該方法が、該蒸気の少なくとも一部を２５℃、０．１０１ＭＰａで凝縮して、原油生成物を製造する工程を更に含む請求項１２〜１４のいずれか１項に記載の方法。
【請求項１６】
原油生成物を、原油原料と同じか又は異なる原油と配合して、ブレンドを形成する工程を更に含む請求項１２〜１５のいずれか１項に記載の方法。
【請求項１７】
沸点範囲分布が０．１０１ＭＰａにおいて３０〜５３８℃（１０００°Ｆ）であり、かつイソパラフィンとｎ−パラフィンとをイソパラフィン対ｎ−パラフィンの重量比で１．４以下（ＡＳＴＭ法Ｄ６７３０で測定）含む炭化水素；を含有する原油生成物。
【請求項１８】
それぞれ原油生成物１ｇ当たり、沸点範囲分布が０．１０１ＭＰａにおいて２０４℃（４００°Ｆ）以下の炭化水素を０．００１ｇ以上、沸点範囲分布が０．１０１ＭＰａにおいて２０４〜３００℃の炭化水素を０．００１ｇ以上、沸点範囲分布が０．１０１ＭＰａにおいて３００〜４００℃の炭化水素を０．００１ｇ以上、沸点範囲分布が０．１０１ＭＰａにおいて４００〜５３８℃（１０００°Ｆ）の炭化水素を０．００１ｇ以上含有する原油生成物であって、沸点範囲分布が２０４℃以下の炭化水素は、イソパラフィンとｎ−パラフィンとをイソパラフィン対ｎ−パラフィンの重量比で１．４以下（ＡＳＴＭ法Ｄ６７３０で測定）有する該原油生成物。
【請求項１９】
それぞれ原油生成物１ｇ当たり、オクタン価が７０以上のナフサ〔但し、オレフィンをナフサ１ｇ当たり０．１５ｇ以下（ＡＳＴＭ法Ｄ６７３０で測定）含有する〕を０．００１ｇ以上；凍結点が−３０℃以下（ＡＳＴＭ法Ｄ２３８６で測定）のケロシン〔但し、芳香族をケロシン１ｇ当たり０．２ｇ以上（ＡＳＴＭ法Ｄ５１８６で測定）含有する〕を０．００１ｇ以上；及び残留物を０．０５ｇ以下（ＡＳＴＭ法Ｄ５３０７で測定）有する原油生成物。
【請求項２０】
原油生成物の水素原子対炭素原子の重量比が１．７５以下（ＡＳＴＭ法Ｄ６７３０で測定）である請求項１７〜１９のいずれか１項に記載の原油生成物。
【請求項２１】
ナフサを原油生成物１ｇ当たり０．００１〜０．２ｇ含有すると共に、ナフサは、それぞれナフサ１ｇ当たり、ベンゼンを０．０１ｇ以下、及び／又はオレフィンを０．００００１〜０．１５ｇ、０．０００１〜０．１ｇ、又は０．００１〜０．０５ｇ含有する請求項１７〜２０のいずれか１項に記載の原油生成物。
【請求項２２】
ケロシンを原油生成物１ｇ当たり０．００１〜０．５ｇ含有すると共に、ケロシンは、芳香族をケロシン１ｇ当たり０．３ｇ以上（ＡＳＴＭ法Ｄ５１８６で測定）含有し、及び／又は−３０℃以下（ＡＳＴＭ法Ｄ２３８６で測定）の凍結点を有する請求項１７〜２１のいずれか１項に記載の原油生成物。
【請求項２３】
ディーゼル油を原油生成物１ｇ当たり０．００１ｇ以上含有すると共に、ディーゼル油は、芳香族をディーゼル油１ｇ当たり０．３ｇ以上（ＩＰ法３６８／９０で測定）含有する請求項１７〜２２のいずれか１項に記載の原油生成物。
【請求項２４】
ＶＧＯを原油生成物１ｇ当たり０．００１ｇ以上含有すると共に、ＶＧＯは、芳香族をＶＧＯ１ｇ当たり０．３ｇ以上（ＩＰ法３６８／９０で測定）含有する請求項１７〜２３のいずれか１項に記載の原油生成物。
【請求項２５】
残留物を原油生成物１ｇ当たり０．００００１〜０．０５ｇ又は０．００１〜０．０３ｇ含有する請求項１７〜２４のいずれか１項に記載の原油生成物。
【請求項２６】
輸送用燃料、加熱用燃料、潤滑剤又は化学薬品を製造する工程を更に含む請求項１２〜１６のいずれか１項に記載の方法。
【請求項２７】
処理工程が原油生成物又はブレンドを１種以上の蒸留物フラクションに蒸留する工程を含む請求項２６に記載の方法。
【請求項２８】
処理工程が水素化処理工程を含む請求項２６又は２７に記載の方法。